(57)【特許請求の範囲】
【請求項１】
目地部を介して建てられた左右の建物間を接続するように形成された左右の四角形状の開口部の目地部側の外周部間を伸縮可能に覆う、中央部が弧状に曲げられた、筒状で四隅部を内側あるいは外側に折り曲げ、４対の固定ヒダを形成した耐火帯、ゴムシート、金属シート等の隠蔽シートと、この隠蔽シートの両端部を前記左右の建物の開口部の外周部の躯体に固定的に取付ける取付け具と、前記隠蔽シートの上下部のいずれかで中央部が上方に位置する部位の隠蔽シートの下部側の左右の躯体に両端部が取付けられた中央維持機構、この中央維持機構の中央枢支部あるいは中央枢支部に取付けられた中央維持バーに取付けられた、常時は隠蔽シートの中央部を上方に位置するように支持でき、隠蔽シートに荷重が加わると下方へ移動する隠蔽シート支持機構とからなる隠蔽シート中央支持機構とを備えることを特徴とする目地部の隠蔽装置。
【請求項２】
目地部を介して建てられた左右の建物間を接続するように形成された左右の四角形状の開口部の目地部側の外周部間を伸縮可能に覆う、中央部が弧状に曲げられた、筒状で四隅部を内側あるいは外側に折り曲げ、４対の固定ヒダを形成した耐火帯、ゴムシート、金属シート等の隠蔽シートと、この隠蔽シートの両端部を前記左右の建物の開口部の外周部の躯体に固定的に取付ける取付け具と、前記隠蔽シートの上下部のいずれかで中央部が上方に位置する部位の隠蔽シートの下部側の左右の躯体に固定された一対のレール、この一対のレールに傾斜配置された両端部がスライド移動可能に支持された、少なくとも２個以上の支持バーおよびこの少なくとも２個以上支持バーのほぼ中央部に枢支された中央維持バーとからなる中央維持機構およびこの中央維持機構の中央維持バーに取付けられた、常時は隠蔽シートの中央部を上方に位置するように支持でき、隠蔽シートに荷重が加わると下方へ移動する隠蔽シート支持バー、この隠蔽シート支持バーに上端部が枢支され、傾斜配置された他端部が前記中央維持バーにスライド移動可能に取付けられた少なくとも一対以上のハ字状のスライド移動バーおよび、この一対以上のスライド移動バーのスライド側を常時閉方向に付勢する付勢スプリングとからなる隠蔽シート支持機構とからなる隠蔽シート中央支持機構とを備えることを特徴とする目地部の隠蔽装置。
【発明の詳細な説明】
【０００１】
【発明の属する技術分野】
本発明は目地部を介して建てられた左右の建物間を接続する部位に耐火可能あるいは気密可能に覆う目地部の隠蔽装置に関する。
【０００２】
【従来の技術】
従来、左右の建物間を接続する部位に、左右の建物が地震等によって目地部が伸縮しても損傷しないように耐火帯やゴム等の隠蔽シートを設置するために、Ｕ字状に折り曲げて取付けている。
【０００３】
【発明が解決しようとする課題】
従来の耐火帯やゴム等の隠蔽シートとして帯状に形成したものを隠蔽性があるために筒状に形成し、四隅部に折り曲げ部を形成した隠蔽シートにした場合、隠蔽シートの上下部のいずれかの中央部が上方に位置する状態となるが、自重により垂れ下がり、筒状の隠蔽シートをスムーズに伸縮させることができなくなったり、不必要部分に折り曲げ部ができ、該部が損傷しやすくなるという欠点があった。
【０００４】
本発明は以上のような従来の欠点に鑑み、隠蔽性を高めることができる筒状の隠蔽シートを用いても、隠蔽シートの折り曲げ状態で設置でき、スムーズに伸縮させることができるとともに、損傷の原因になる不必要な折り曲げ部が生じるのを確実に阻止することができる目地部の隠蔽装置を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は目地部を介して建てられた左右の建物間を接続するように形成された左右の四角形状の開口部の目地部側の外周部間を伸縮可能に覆う、中央部が弧状に曲げられた、筒状で四隅部を内側あるいは外側に折り曲げ、４対の固定ヒダを形成した耐火帯、ゴムシート、金属シート等の隠蔽シートと、この隠蔽シートの両端部を前記左右の建物の開口部の外周部の躯体に固定的に取付ける取付け具と、前記隠蔽シートの上下部のいずれかで中央部が上方に位置する部位の隠蔽シートの下部側の左右の躯体に両端部が取付けられた中央維持機構、この中央維持機構の中央枢支部あるいは中央枢支部に取付けられた中央維持バーに取付けられた、常時は隠蔽シートの中央部を上方に位置するように支持でき、隠蔽シートに荷重が加わると下方へ移動する隠蔽シート支持機構とからなる隠蔽シート中央支持機構とで目地部の隠蔽装置を構成している。
【０００７】
【発明の実施の形態】
以下、図面に示す実施の形態により、本発明を詳細に説明する。
【０００８】
図１ないし図１３に示す本発明の第１の実施の形態において、１は目地部２を介して建てられた左右の建物３、３間を接続するように形成された左右の開口部４、４を地震等によって前後左右方向に揺れ動いても、その揺れ動きを吸収できる床用目地装置５、側壁用目地装置６、６および天井用目地装置７の外周部を隠蔽状態で覆うことができる本発明の目地部の隠蔽装置で、この目地部の隠蔽装置１は前記左右の建物３、３の左右の四角形状の開口部４、４の目地部側の外周部間を伸縮可能に覆う断面弧状あるいはＵ字状で四角形状の筒状の耐火帯、ゴムシート、金属シート等の隠蔽シート８と、この隠蔽シート８の両端部の両側部および上下部を、左右の目地部側の躯体３ａ、３ａに気密状態で固定する躯体への固定具９、９と、前記隠蔽シート８の逆Ｕ字状となる上部部位の隠蔽シート８のほぼ中央部を上下移動可能に支持する隠蔽シート中央支持機構１０とで構成されている。
【０００９】
前記隠蔽シート８は図５ないし図８に示すように耐火帯、ゴムシート、金属シート等の帯状の隠蔽シート材８ａを上下部の中央部が外方に突出するＵ字状に曲げられるとともに、両側部の中央部が外方に突出するＵ字状に曲げられた四角筒状に形成された隠蔽シート本体１１と、この隠蔽シート本体１１の四隅部を内側に折り曲げた三角形状の４対のヒダ１２、１２と、この４対のヒダ１２、１２部分を接着、溶着あるいは縫着によって形成した固定部１３、１３とで構成されている。
【００１０】
前記躯体への固定具９、９は図９に示すように、前記隠蔽シート８の両側端部および上下端部を押し圧することができる複数個に分割された複数個の押え板１４と、この複数個の押え板１４に所定間隔で形成されたビス挿入孔１５と、このビス挿入孔１５にそれぞれ挿入されて、前記躯体３ａに螺合される多数本のタッピングビス等のビス１６とで構成されている。
【００１１】
前記隠蔽シート中央支持機構１０は図１０および図１１に示すように、前記左右の開口部４、４の上部側の躯体３ａ、３ａに固定された一対のレール１７、１７、この一対のレール１７、１７に両端部がスライド移動可能に支持された傾斜状態で配置された少なくとも２個以上の支持バー１８、１８およびこの２個以上の支持バー１８、１８のほぼ中央部に枢支ピン１９、１９によって枢支された中央維持バー２０とからなる中央維持機構２１と、この中央維持機構２１の中央維持バー２０に取付けられた常時は隠蔽シート８の中央部を上方に位置するように支持でき、隠蔽シート８に荷重が加わると下方へ移動する隠蔽シート支持バー２２、この隠蔽シート支持バー２２に上端部が枢支され、傾斜配置された他端部が前記中央維持バー２０にスライド移動可能に取付けられた少なくとも一対以上、本発明の実施の形態では２対のハ字状のスライド移動バー２３、２３、２３、２３およびこの２対のスライド移動バー２３、２３、２３、２３のスライド側を常時開方向に付勢する付勢スプリング２４、２４とからなる隠蔽シート支持機構２５とで構成されている。
【００１２】
上記構成の目地部の隠蔽装置１は、左右の建物３、３が地震等によって目地部２が狭くなったり、広くなっても隠蔽シート８の上下両側部の中央部は外方へ突出したり、中央部方向に引張られる状態となり、損傷が生じるような折り曲げ部が生じることなく伸縮される。
【００１３】
また、中央部が上方へ突出する上部位置の隠蔽シート８は、隠蔽シート中央支持機構１０によって上方に突出する状態を保つとともに、隠蔽シート８が伸長する場合には、該隠蔽シート８に加わる荷重によって隠蔽シート支持機構２５の隠蔽シート支持バー２２が下降し、隠蔽シート８の移動をスムーズに行なわせることができる。
【００１４】
【発明の異なる実施の形態】
次に、図１４ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１４ないし図１６に示す本発明の第２の実施の形態において、前記本発明の第１の実施の形態と主に異なる点は、上下両側部の中央部が内側に位置するＵ字状に曲げられた四角筒状に形成された隠蔽シート８Ａを用いるとともに、中央部が上方に位置する下部位置の隠蔽シート８Ａを隠蔽シート中央支持機構１０で支持した点で、このように構成した目地部の隠蔽装置１Ａにしても、前記本発明の第１の実施の形態と同様な作用効果が得られる。
【００１６】
図１７ないし図１９に示す本発明の第３の実施の形態において、前記本発明の第１の実施の形態と主に異なる点は、四角形状が２個形成されるパンタグラフ形状の２個の伸縮リンク２６、２６の中央枢支部に中央維持バー２０を取付けた中央維持機構２１Ａを用いた隠蔽シート中央支持機構１０Ａを使用した点で、このように形成された隠蔽シート中央支持機構１０Ａを用いて構成した目地部の隠蔽装置１Ｂにしても前記本発明の第１の実施の形態と同様な作用効果が得られる。
【００１７】
図２０ないし図２２に示す本発明の第４の実施の形態において、前記本発明の第２の実施の形態と主に異なる点は、天井仕上材２７、２７に側板２８、２８を固定し、該側板２８、２８の上部に上部隠蔽シート８を取り付けるとともに、隠蔽シート支持バー２２を常時上方に付勢することができるように、中央維持バー２０に固定された板スプリング２９、２９を用いた隠蔽シート中央支持機構１０Ｂを使用した点で、このように形成された隠蔽シート中央支持機構１０Ｂを用いて構成した目地部の隠蔽装置１Ｃにしても前記本発明の第２の実施の形態と同様な作用効果が得られる。
【００１８】
【発明の効果】
以上の説明から明らかなように、本発明にあっては次に列挙する効果が得られる。
【００１９】
（１）目地部を介して建てられた左右の建物間を接続するように形成された左右の四角形状の開口部の目地部側の外周部間を伸縮可能に覆う、中央部が弧状に曲げられた、筒状で四隅部を内側あるいは外側に折り曲げ、４対の固定ヒダを形成した耐火帯、ゴムシート、金属シート等の隠蔽シートと、この隠蔽シートの両端部を前記左右の建物の開口部の外周部の躯体に固定的に取付ける取付け具と、前記隠蔽シートの上下部のいずれかで中央部が上方に位置する部位の隠蔽シートの下部側の左右の躯体に両端部が取付けられた中央維持機構、この中央維持機構の中央枢支部あるいは中央枢支部に取付けられた中央維持バーに取付けられた、常時は隠蔽シートの中央部を上方に位置するように支持でき、隠蔽シートに荷重が加わると下方へ移動する隠蔽シート支持機構とからなる隠蔽シート中央支持機構とで構成されているので、隠蔽シートが伸縮する場合、上下両側部の中央部が外方に突出あるいは内側に突出するように折りたたむ状態で伸縮させることができる。
したがって、隠蔽シートの損傷が生じるような折り曲げ部が生じることなく伸縮させることができ、耐久性の向上を図ることができる。
【００２０】
（２）前記（１）によって、中央部が弧状に曲げられた筒状で四隅部を内側あるいは外側に折り曲げ、４対の固定ヒダを形成した耐火帯、ゴムシート、金属シート等の隠蔽シートを用いているので、隠蔽シートでの目地部の隠蔽を従来のように重なり合せた接続部がないので、確実に気密状態で行なうことができる。
【００２１】
（３）前記（１）によって、弧状に曲げられた中央部が上方に位置する部分には隠蔽シートをその状態で支持する隠蔽シート中央支持機構によって支持しているので、隠蔽シートがスムーズに移動する状態を保つことができるとともに、隠蔽シートが伸長する場合には隠蔽シート中央支持機構の隠蔽シート支持機構が隠蔽シートに加わる荷重によってスムーズに下方へ移動して、隠蔽シートの伸長のじゃまをするのを防止できる。
【００２２】
（４）請求項２も前記（１）〜（３）と同様な効果が得られる。
【図面の簡単な説明】
【図１】本発明の第１の実施の形態の使用状態の説明図。
【図２】図１の２−２線に沿う断面図。
【図３】図１の３−３線に沿う断面図。
【図４】図１の４−４線に沿う断面図。
【図５】本発明の第１の実施の形態の隠蔽シートの正面図。
【図６】本発明の第１の実施の形態の隠蔽シートの側面図。
【図７】図５の７−７線に沿う断面図。
【図８】本発明の第１の実施の形態の隠蔽シートのヒダ部の説明図。
【図９】本発明の第１の実施の形態の躯体への固定具の説明図。
【図１０】本発明の第１の実施の形態の隠蔽シート中央支持機構の説明図。
【図１１】本発明の第１の実施の形態の隠蔽シート中央支持機構の側面図。
【図１２】本発明の第１の実施の形態の目地部が広くなった動作説明図。
【図１３】本発明の第１の実施の形態の目地部が狭くなった動作説明図。
【図１４】本発明の第２の実施の形態の縦断面図。
【図１５】本発明の第２の実施の形態の水平断面図。
【図１６】本発明の第２の実施の形態の横断面図。
【図１７】本発明の第３の実施の形態の縦断面図。
【図１８】本発明の第３の実施の形態の横断面図。
【図１９】本発明の第３の実施の形態の隠蔽シート中央支持機構の説明図。
【図２０】本発明の第４の実施の形態の縦断面図。
【図２１】本発明の第４の実施の形態の横断面図。
【図２２】本発明の第４の実施の形態の隠蔽シート中央支持機構の説明図。
【符号の説明】
１、１Ａ、１Ｂ、１Ｃ：目地部の隠蔽装置、
２：目地部、            ３：建物、
４：開口部、            ５：床用目地装置、
６：側壁用目地装置、    ７：天井用目地装置、
８、８Ａ：隠蔽シート、  ９：躯体への固定具、
１０、１０Ａ、１０Ｂ：隠蔽シート中央支持機構、
１１：隠蔽シート本体、  １２：ヒダ、
１３：固定部、          １４：押え板、
１５：ビス挿入孔、      １６：ビス、
１７：レール、          １８：支持バー、
１９：枢支ピン、        ２０：中央維持バー、
２１、２１Ａ：中央維持機構、
２２：隠蔽シート支持バー、
２３：スライド移動バー、２４：付勢スプリング、
２５：隠蔽シート支持機構、
２６：伸縮リンク、      ２７：天井仕上材、
２８：側板、            ２９：板スプリング。
【図１】
0003650036.tif 000002
【図２】
0003650036.tif 000003
【図３】
0003650036.tif 000004
【図４】
0003650036.tif 000005
【図５】
0003650036.tif 000006
【図６】
0003650036.tif 000007
【図７】
0003650036.tif 000008
【図８】
0003650036.tif 000009
【図９】
0003650036.tif 000010
【図１０】
0003650036.tif 000011
【図１１】
0003650036.tif 000012
【図１２】
0003650036.tif 000013
【図１３】
0003650036.tif 000014
【図１４】
0003650036.tif 000015
【図１５】
0003650036.tif 000016
【図１６】
0003650036.tif 000017
【図１７】
0003650036.tif 000018
【図１８】
0003650036.tif 000019
【図１９】
0003650036.tif 000020
【図２０】
0003650036.tif 000021
【図２１】
0003650036.tif 000022
【図２２】
0003650036.tif 000023